(57)【要約】    【課題】飛行性能に優れたゴルフボール２の提供。    【解決手段】ゴルフボール２のディンプル８は、上壁面１４、側壁面１６、第一スロープ面１８、第二スロープ面２０及びボトム面２２を備えている。上壁面１４、側壁面１６、第一スロープ面１８及び第二スロープ面２０はリング状である。ボトム面２２は、碗状である。側壁面１６は、点Ｐ１において上壁面１４と接している。側壁面１６は、下向きに凸な曲面である。第一スロープ面１８は、点Ｐ２において側壁面１６と接している。第一スロープ面１８の断面形状は、直線状である。第二スロープ面２０は、点Ｐ３において第一スロープ面１８と連続している。第二スロープ面２０の断面形状は、直線状である。ボトム面２２は、点Ｐ４において第二スロープ面２０と接している。ボトム面２２は、下向きに凸な曲面である。【選択図】図５
2006314481.tif 000002
【特許請求の範囲】
【請求項１】
その表面に多数のディンプルを備えており、
このディンプルが、
（１）断面が円弧状であり下向きに凸である側壁面、
（２）この側壁面の下端Ｐ２においてこの側壁面と接しており、ディンプル中心に向かって下向きに傾斜する第一スロープ面、
（３）この第一スロープ面の下端Ｐ３においてこの第一スロープ面と連続しており、第一スロープ面よりも緩やかに、ディンプル中心に向かって下向きに傾斜する第二スロープ面
及び
（４）この第二スロープ面の下端Ｐ４においてこの第二スロープ面と接しており、断面が円弧状であり、ディンプル中心に位置する碗状のボトム面
を有しているゴルフボール。
【請求項２】
上記側壁面と第一スロープ面との接点Ｐ２の深さがｄ２とされたとき、ディンプル深さｄ０に対する深さｄ２の比率が５０％以上８５％以下である請求項１に記載のゴルフボール。
【請求項３】
上記第二スロープ面とボトム面との接点Ｐ４の深さがｄ４とされたとき、ディンプル深さｄ０に対する深さｄ４の比率が５０％以上８５％以下である請求項１又は２に記載のゴルフボール。
【請求項４】
上記ディンプルの深さｄ０に対する、深さｄ４と深さｄ２との差（ｄ４−ｄ２）の比率が１０％以上３０％以下である請求項１から３のいずれかに記載のゴルフボール。
【請求項５】
上記ボトム面の曲率半径Ｒｂと側壁面の曲率半径Ｒａとの比（Ｒｂ／Ｒａ）が５以上５５以下である請求項１から４のいずれかに記載のゴルフボール。
【請求項６】
その表面に塗装層を備えており、この塗装層の平均厚みが６μｍ以上である請求項１から５のいずれかに記載のゴルフボール。
【発明の詳細な説明】
【技術分野】
【０００１】
本発明は、ゴルフボールに関する。詳細には、本発明は、ゴルフボールのディンプルの改良に関する。
【背景技術】
【０００２】
ゴルフボールは、カバーと、このカバーの表面に位置する塗装層を備えている。塗装層の役割は、外観向上、マーク層の保護及びカバーの保護にある。白色層とクリアー層とからなる塗装層を備えたゴルフボールや、クリアー層のみを備えたゴルフボールが存在している。
【０００３】
ゴルフボールは、その表面に多数のディンプルを備えている。ディンプルは、飛行時のゴルフボール周りの空気の流れを乱し、乱流剥離を起こさせる。乱流剥離によって空気のゴルフボールからの剥離点が後方にシフトし、抗力が低減される。乱流剥離によってバックスピンに起因するゴルフボールの上側剥離点と下側剥離点との差が助長され、ゴルフボールに作用する揚力が高められる。このようなディンプルの役割は、「ディンプル効果」と称されている。優れたディンプルは、よりよく空気の流れを乱す。
【０００４】
飛行性能向上を目的とした、ディンプルの断面形状に関する種々の提案がなされている。特開平５−９６０２６号公報には、エッジ近傍のスロープ面が底部のスロープ面よりも急傾斜である形状を備えたディンプルが開示されている。特開２００４−１６６７２５公報には、エッジ近傍の曲率半径に対する底部の曲率半径の比が大きなディンプルが開示されている。
【０００５】
特開平９−７０４４９号公報には、断面形状がダブルラジアスから構成されるディンプルが開示されている。このダブルラジアスディンプルは、環状の側壁面と、碗状のボトム面とを備えている。側壁面及びボトム面の断面形状は、円弧状である。側壁面の曲率半径は小さく、ボトム面の曲率半径は大きい。このダブルラジアスディンプルでは、側壁面とボトム面との接点において、空気の流れの方向が急に変化する。これにより、空気の流れが乱される。ダブルラジアスディンプルは、優れたディンプル効果を奏する。
【特許文献１】特開平５−９６０２６号公報
【特許文献２】特開平９−７０４４９号公報
【特許文献３】特開２００４−１６６７２５公報
【発明の開示】
【発明が解決しようとする課題】
【０００６】
塗装層は、液状の塗料がカバーの表面に塗装され、この塗料が硬化することで得られる。塗装直後の塗料は、カバーの表面で流動しうる。ダブルラジアスディンプルでは、流動によって側壁面とボトム面との接点の近傍に塗料が溜まりやすい。塗料が溜まると、接点近傍において厚く他の部分において薄い塗装層が得られる。この塗装層は、接点における曲率半径の変化を緩める。これにより、ディンプル効果が阻害される。本発明の目的は、飛行性能に優れたゴルフボールの提供にある。
【課題を解決するための手段】
【０００７】
本発明に係るゴルフボールは、その表面に多数のディンプルを備えている。このディンプルは、
（１）断面が円弧状であり下向きに凸である側壁面、
（２）この側壁面の下端Ｐ２においてこの側壁面と接しており、ディンプル中心に向かって下向きに傾斜する第一スロープ面、
（３）この第一スロープ面の下端Ｐ３においてこの第一スロープ面と連続しており、第一スロープ面よりも緩やかに、ディンプル中心に向かって下向きに傾斜する第二スロープ面
及び
（４）この第二スロープ面の下端Ｐ４においてこの第二スロープ面と接しており、断面が円弧状であり、ディンプル中心に位置する碗状のボトム面
を有している。
【０００８】
好ましくは、ディンプル深さｄ０に対する深さｄ２の比率は、５０％以上８５％以下である。深さｄ２は、側壁面と第一スロープ面との接点Ｐ２の深さである。好ましくは、ディンプル深さｄ０に対する深さｄ４の比率は、５０％以上８５％以下である。深さｄ４は、第二スロープ面とボトム面との接点Ｐ４の深さである。
【０００９】
好ましくは、ディンプルの深さｄ０に対する、深さｄ４と深さｄ２との差（ｄ４−ｄ２）の比率は、１０％以上３０％以下である。好ましくは、側壁面が延長された円弧とボトム面が延長された円弧とは、接点Ｐ５において接する。ディンプル深さｄ０に対する接点Ｐ５の深さｄ５の比率は、５０％以上８５％以下である。
【００１０】
好ましくは、ボトム面の曲率半径Ｒｂと側壁面の曲率半径Ｒａとの比（Ｒｂ／Ｒａ）は、５以上５５以下である。
【００１１】
本発明は、平均厚みが６μｍ以上である塗装層を備えたゴルフボールに、特に適している。
【発明の効果】
【００１２】
このゴルフボールでは、ランドからディンプルの中心に向かう空気の流れが、第一スロープ面と第二スロープ面との交点Ｐ３の近傍において乱される。このゴルフボールでは、ディンプルの中心からランドに向かう空気の流れも、第一スロープ面と第二スロープ面との交点Ｐ３の近傍において乱される。このゴルフボールは、飛行性能に優れる。
【発明を実施するための最良の形態】
【００１３】
以下、適宜図面が参照されつつ、好ましい実施形態に基づいて本発明が詳細に説明される。
【００１４】
図１は、本発明の一実施形態に係るゴルフボール２が示された模式的断面図である。このゴルフボール２は、球状のコア４と、カバー６とを備えている。カバー６の表面には、多数のディンプル８が形成されている。ゴルフボール２の表面のうちディンプル８以外の部分は、ランド１０である。このゴルフボール２は、カバー６の外側にペイント層及びマーク層を備えているが、これらの層の図示は省略されている。
【００１５】
このゴルフボール２の直径は、４０ｍｍから４５ｍｍである。米国ゴルフ協会（ＵＳＧＡ）の規格が満たされるとの観点から、直径は４２．６７ｍｍ以上が好ましい。空気抵抗抑制の観点から、直径は４４ｍｍ以下が好ましく、４２．８０ｍｍ以下がより好ましい。このゴルフボール２の質量は、４０ｇ以上５０ｇ以下である。大きな慣性が得られるとの観点から、質量は４４ｇ以上が好ましく、４５．００ｇ以上が特に好ましい。ＵＳＧＡの規格が満たされるとの観点から、質量は４５．９３ｇ以下が好ましい。
【００１６】
コア４は、ゴム組成物が架橋されることによって形成されている。ゴム組成物の基材ゴムとしては、ポリブタジエン、ポリイソプレン、スチレン−ブタジエン共重合体、エチレン−プロピレン−ジエン共重合体及び天然ゴムが例示される。２種以上のゴムが併用されてもよい。反発性能の観点からポリブタジエンが好ましく、特にハイシスポリブタジエンが好ましい。
【００１７】
コア４の架橋には、共架橋剤が好適に用いられる。反発性能の観点から好ましい共架橋剤は、アクリル酸亜鉛、アクリル酸マグネシウム、メタクリル酸亜鉛及びメタクリル酸マグネシウムである。ゴム組成物には、共架橋剤と共に有機過酸化物が配合されるのが好ましい。好適な有機過酸化物としては、ジクミルパーオキサイド、１，１−ビス（ｔ−ブチルパーオキシ）−３，３，５−トリメチルシクロヘキサン、２，５−ジメチル−２，５−ジ（ｔ−ブチルパーオキシ）ヘキサン及びジ−ｔ−ブチルパーオキサイドが挙げられる。
【００１８】
コア４のゴム組成物には、充填剤、硫黄化合物、老化防止剤、着色剤、可塑剤、分散剤等の各種添加剤が、必要に応じて適量配合される。ゴム組成物に、架橋ゴム粉末又は合成樹脂粉末が配合されてもよい。
【００１９】
コア４の直径は３０．０ｍｍ以上、特には３８．０ｍｍ以上である。コア４の直径は４２．０ｍｍ以下、特には４１．５ｍｍ以下である。コア４が２以上の層から構成されてもよい。コア４とカバー６との間に、中間層が設けられてもよい。
【００２０】
カバー６に好適なポリマーは、アイオノマー樹脂である。特に、α−オレフィンと炭素数が３以上８以下のα，β−不飽和カルボン酸との共重合体におけるカルボン酸の一部が金属イオンで中和されたものが好適である。好ましいα−オレフィンは、エチレン及びプロピレンである。好ましいα，β−不飽和カルボン酸は、アクリル酸及びメタクリル酸である。中和のための金属イオンとしては、ナトリウムイオン、カリウムイオン、リチウムイオン、亜鉛イオン、カルシウムイオン、マグネシウムイオン、アルミニウムイオン及びネオジムイオンが例示される。中和が、２種以上の金属イオンでなされてもよい。ゴルフボール２の反発性能及び耐久性の観点から特に好適な金属イオンは、ナトリウムイオン、亜鉛イオン、リチウムイオン及びマグネシウムイオンである。
【００２１】
アイオノマー樹脂に代えて、又はアイオノマー樹脂と共に、他のポリマーが用いられてもよい。他のポリマーとしては、熱可塑性樹脂スチレンエラストマー、熱可塑性ポリウレタンエラストマー、熱可塑性ポリアミドエラストマー、熱可塑性ポリエステルエラストマー及び熱可塑性ポリオレフィンエラストマーが例示される。
【００２２】
カバー６には、必要に応じ、二酸化チタンのような着色剤、硫酸バリウムのような充填剤、分散剤、酸化防止剤、紫外線吸収剤、光安定剤、蛍光剤、蛍光増白剤等が適量配合される。比重調整の目的で、カバー６にタングステン、モリブデン等の高比重金属の粉末が配合されてもよい。
【００２３】
カバー６の厚みは０．５ｍｍ以上、特には０．８ｍｍ以上である。カバー６の厚みは２．５ｍｍ以下、特には２．２ｍｍ以下である。カバー６の比重は０．９０以上、特には０．９５以上である。カバー６の比重は１．１０以下、特には１．０５以下である。カバー６が２以上の層から構成されてもよい。
【００２４】
図２は図１のゴルフボール２が示された拡大平面図であり、図３はその正面図である。図２及び図３から明らかなように、全てのディンプル８の平面形状は円である。図２では、ゴルフボール２の表面が１０個の等価なユニットに区画された場合の１個のユニットにおいて、符号ＡからＤによってディンプル８の種類が示されている。このゴルフボール２は、直径が４．１ｍｍであるディンプルＡと、直径が３．６ｍｍであるディンプルＢと、直径が３．４ｍｍであるディンプルＣと、直径が３．２ｍｍであるディンプルＤとを備えている。ディンプルＡの個数は１３２個であり、ディンプルＢの個数は１８０個であり、ディンプルＣの個数は６０個であり、ディンプルＤの個数は６０個である。このゴルフボール２のディンプル８の総数は、４３２個である。
【００２５】
図４は、図１のゴルフボール２の一部が示された拡大断面図である。この図４には、ディンプル８の面積重心及びゴルフボール２の中心を通過する平面に沿った断面が示されている。図４における上下方向は、ディンプル８の深さ方向である。深さ方向は、ディンプル８の面積重心からゴルフボール２の中心へ向かう方向である。図４において二点鎖線１２で示されているのは、仮想球である。仮想球１２の表面は、ディンプル８が存在しないと仮定されたときのゴルフボール２の表面である。ディンプル８は、仮想球１２から凹陥している。ランド１０は、仮想球１２と一致している。
【００２６】
図４において両矢印Ｄｉで示されているのは、ディンプル８の直径である。この直径Ｄｉは、ディンプル８の両側に共通の接線Ｔが画かれたときの、一方の接点Ｅｄと他方の接点Ｅｄとの距離である。接点Ｅｄは、ディンプル８のエッジでもある。エッジＥｄは、ディンプル８の輪郭を画定する。直径Ｄｉは、２．００ｍｍ以上６．００ｍｍ以下が好ましい。直径Ｄｉが２．００ｍｍ以上に設定されることにより、大きなディンプル効果が得られる。この観点から、直径Ｄｉは２．２０ｍｍ以上がより好ましく、２．４０ｍｍ以上が特に好ましい。直径Ｄｉが６．００ｍｍ以下に設定されることにより、実質的に球であるというゴルフボール２の本来的特徴が維持される。この観点から、直径Ｄｉは５．８０ｍｍ以下がより好ましく、５．６０ｍｍ以下が特に好ましい。
【００２７】
図４において両矢印ｄ０で示されているのは、ディンプル８の深さである。深さｄ０は、接線Ｔとディンプル８の最深部との距離である。ゴルフボール２のホップが抑制されるとの観点から、ディンプル８の深さｄ０は、０．０５ｍｍ以上が好ましく、０．０８ｍｍ以上がより好ましく、０．１０ｍｍ以上が特に好ましい。ゴルフボール２のドロップが抑制されるとの観点から、深さｄ０は０．６０ｍｍ以下が好ましく、０．４５ｍｍ以下がより好ましく、０．４０ｍｍ以下が特に好ましい。
【００２８】
図５は、図４のゴルフボール２のディンプル８の一部が示された拡大断面図である。この図では、塗装されていないゴルフボール２が示されている。このディンプル８は、上壁面１４、側壁面１６、第一スロープ面１８、第二スロープ面２０及びボトム面２２を備えている。上壁面１４、側壁面１６、第一スロープ面１８及び第二スロープ面２０はリング状である。ボトム面２２は、碗状である。
【００２９】
上壁面１４は、エッジＥｄから点Ｐ１に至っている。上壁面１４は、上向きに凸な曲面である。ランド１０を通過した空気は、まずこの上壁面１４に沿って流れる。
【００３０】
側壁面１６は、上壁面１４のボトム側に位置している。側壁面１６は、点Ｐ１から点Ｐ２に至っている。側壁面１６は、点Ｐ１において上壁面１４と連続している。側壁面１６は、点Ｐ１において上壁面１４と接している。側壁面１６は、下向きに凸な曲面である。側壁面１６の断面形状は、円弧状である。図５において矢印Ｒａで示されているのは、側壁面１６の曲率半径である。
【００３１】
第一スロープ面１８は、側壁面１６のボトム側に位置している。第一スロープ面１８は、点Ｐ２から点Ｐ３に至っている。第一スロープ面１８は、点Ｐ２において側壁面１６と連続している。第一スロープ面１８は、点Ｐ２において側壁面１６と接している。第一スロープ面１８の断面形状は、直線状である。第一スロープ面１８は、ディンプル８の中心に向かって下向きに傾斜している。
【００３２】
第二スロープ面２０は、第一スロープ面１８のボトム側に位置している。第二スロープ面２０は、点Ｐ３から点Ｐ４に至っている。第二スロープ面２０は、点Ｐ３において第一スロープ面１８と連続している。点Ｐ３は、第一スロープ面１８と第二スロープ面２０との交点である。第二スロープ面２０の断面形状は、直線状である。第二スロープ面２０は、ディンプル８の中心に向かって下向きに傾斜している。第二スロープ面２０の傾斜は、第一スロープ面１８の傾斜よりも緩やかである。従って、第一スロープ面１８と第二スロープ面２０とのなす角は、点Ｐ３の上側において鋭角である。
【００３３】
ボトム面２２は、ディンプル８の中心に位置している。ボトム面２２は、点Ｐ４から他方の点Ｐ４（図４参照）に至っている。ボトム面２２は、点Ｐ４において第二スロープ面２０と連続している。ボトム面２２は、点Ｐ４において第二スロープ面２０と接している。ボトム面２２は、下向きに凸な曲面である。ボトム面２２の断面形状は、円弧状である。図５において矢印Ｒｂで示されているのは、ボトム面２２の曲率半径である。
【００３４】
側壁面１６が延長された円弧２４とボトム面２２が延長された円弧２６とは、点Ｐ５において接する。図５から明らかなように、点Ｐ３は点Ｐ５よりも下方に位置する。ディンプル８の表面は、点Ｐ３の近傍において窪んでいる。
【００３５】
このゴルフボール２では、ランド１０からディンプル８の中心に向かう空気は、上壁面１４、側壁面１６、第一スロープ面１８、第二スロープ面２０及びボトム面２２に沿って流れる。この空気の流れ方向は、点Ｐ３の近傍で急激に変化する。この変化によって、大きなディンプル効果が得られる。このゴルフボール２では、ディンプル８の中心からランド１０に向かう空気は、ボトム面２２、第二スロープ面２０、第一スロープ面１８、側壁面１６及び上壁面１４に沿って流れる。この空気の流れ方向は、点Ｐ３の近傍で急激に変化する。この変化によって、大きなディンプル効果が得られる。
【００３６】
塗料が塗装されると、流動によってこの塗料が点Ｐ３の近傍に溜まる。この溜まりにより、点Ｐ３の近傍において厚く他の領域において薄い塗装層が形成される。この塗装層により、空気の流れ方向の変化が減じられる。しかし、点Ｐ３の近傍は窪んでいるので、従来のダブルラジアスディンプルに比べ、ディンプル効果の阻害は少ない。このゴルフボール２は、飛行性能に優れる。平均厚みが厚い塗装層は、ディンプル効果を阻害しやすい。平均厚みが６μｍ以上、特には８μｍ以上である塗装層を備えたゴルフボール２において、点Ｐ３における窪みは有効である。無作為に抽出された２０カ所のランドにおいて測定された塗装層厚みに基づき、平均厚みが算出される。
【００３７】
ボトム面２２の曲率半径Ｒｂと側壁面１６の曲率半径Ｒａとの比（Ｒｂ／Ｒａ）は、５以上が好ましい。この比（Ｒｂ／Ｒａ）が５以上に設定されることにより、空気の流れ方向が大きく変化し、大きなディンプル効果が得られる。ディンプル効果の観点から、この比（Ｒｂ／Ｒａ）は７以上がより好ましく、３０以上が特に好ましい。ディンプル効果の観点から、比（Ｒｂ／Ｒａ）は５５以下が好ましい。
【００３８】
曲率半径Ｒａは、１．０ｍｍ以上１．５ｍｍ以下が好ましい。曲率半径Ｒａが１．０ｍｍ以上に設定されることにより、打撃時のカバー６の傷つきが抑制される。この観点から、曲率半径Ｒａは１．１ｍｍ以上がより好ましい。曲率半径Ｒａが１．５ｍｍ以下に設定されることにより、大きなディンプル効果が得られる。この観点から、曲率半径Ｒａは１．４ｍｍ以下がより好ましい。
【００３９】
曲率半径Ｒｂは、１０．０ｍｍ以上５０．０ｍｍ以下が好ましい。曲率半径Ｒｂが上記範囲に設定されることにより、大きなディンプル効果が得られる。この観点から、曲率半径Ｒｂは２０．０ｍｍ以上がより好ましい。曲率半径Ｒｂは、４０．０ｍｍ以下がより好ましい
【００４０】
図５において、両矢印ｄ１で示されているのは点Ｐ１の深さであり、両矢印ｄ２で示されているのは点Ｐ２の深さであり、両矢印ｄ３で示されているのは点Ｐ３の深さであり、両矢印ｄ４で示されているのは点Ｐ４の深さであり、両矢印ｄ５で示されているのは点Ｐ５の深さである。
【００４１】
ディンプル効果の観点から、深さｄ０（図４参照）に対する深さｄ２の比率は５０％以上８５％以下が好ましい。この比率が５０％以上に設定されることにより、側壁面１６及び第一スロープ面１８がディンプル効果に大きく寄与する。この観点から、比率は５５％以上がより好ましい。この比率が８５％以下に設定されることにより、第二スロープ面２０及びボトム面２２がディンプル効果に大きく寄与する。この観点から、比率は６５％以下がより好ましい。
【００４２】
ディンプル効果の観点から、深さｄ０（図４参照）に対する深さｄ４の比率は５０％以上８５％以下が好ましい。この比率が５０％以上に設定されることにより、側壁面１６及び第一スロープ面１８がディンプル効果に大きく寄与する。この観点から、比率は６５％以上がより好ましい。この比率が８５％以下に設定されることにより、第二スロープ面２０及びボトム面２２がディンプル効果に大きく寄与する。この観点から、比率は８０％以下がより好ましい。
【００４３】
ディンプル効果の観点から、深さｄ０に対する深さｄ５の比率は５０％以上８５％以下が好ましい。この比率が５０％以上に設定されることにより、側壁面１６がディンプル効果に大きく寄与する。この観点から、比率は６０％以上がより好ましい。この比率が８５％以下に設定されることにより、ボトム面２２がディンプル効果に大きく寄与する。この観点から、比率は８０％以下がより好ましく、７０％以下が特に好ましい。
【００４４】
ディンプル８の深さｄ０に対する差（ｄ４−ｄ２）の比率は、１０％以上３０％以下が好ましい。この比率が１０％以上に設定されることにより、大きなディンプル効果が得られる。この観点から、比率は１５％以上がより好ましい。この比率が３０％以下のディンプル８は、外観に優れる。この観点から、比率は２５％以下がより好ましい。
【００４５】
上壁面１４は、ゴルフボール２の製造上の都合によって形成される。深さｄ０に対する深さｄ１の比率は、１０％以下、特には５％以下が好ましい。ディンプル８が上壁面１４を有さなくても良い。この場合は、深さｄ０に対する深さｄ１の比率はゼロである。
【００４６】
ディンプル効果の観点から、ディンプル８の深さｄ０に対する差（ｄ２−ｄ１）の比率は３０％以上７０％以下が好ましく、ディンプル８の深さｄ０に対する差（ｄ３−ｄ２）の比率は５％以上２０％以下が好ましく、ディンプル８の深さｄ０に対する差（ｄ４−ｄ３）の比率は５％以上２０％以下が好ましく、ディンプル８の深さｄ０に対する差（ｄ０−ｄ４）の比率は３５％以上１５％以下が好ましい。
【００４７】
ディンプル８の面積ｓは、無限遠からゴルフボール２の中心を見た場合の、輪郭線に囲まれた領域の面積である。円形ディンプル８の場合、面積ｓは下記数式によって算出される。
s = (Di / 2)２ ・ π
図２及び図３に示されたゴルフボール２では、ディンプルＡの面積は１３．２０ｍｍ２であり、ディンプルＢの面積は１０．１８ｍｍ２であり、ディンプルＣの面積は９．０８ｍｍ２であり、ディンプルＤの面積は８．０４ｍｍ２である。
【００４８】
本発明では、全てのディンプル８の面積ｓの合計の、仮想球１２の表面積に対する比率は、占有率と称される。十分なディンプル効果が得られるとの観点から、占有率は７０％以上が好ましく、７２％以上がより好ましく、７４％以上が特に好ましい。占有率は、９０％以下が好ましい。図２及び図３に示されたゴルフボール２では、ディンプル８の合計面積は４６０２．０ｍｍ２である。このゴルフボール２の仮想球１２の表面積は５７２８．０ｍｍ２なので、占有率は８０．３％である。
【００４９】
本発明において「ディンプルの容積」とは、ディンプル８の輪郭を含む平面とディンプル８の表面とに囲まれた部分の容積を意味する。ゴルフボール２のホップが抑制されるとの観点から、ディンプル８の総容積は２５０ｍｍ３以上が好ましく、２６０ｍｍ３以上がより好ましく、２７０ｍｍ３以上が特に好ましい。ゴルフボール２のドロップが抑制されるとの観点から、総容積は４００ｍｍ３以下が好ましく、３９０ｍｍ３以下がより好ましく、３８０ｍｍ３以下が特に好ましい。
【００５０】
十分なディンプル効果が得られるとの観点から、ディンプル８の総数は２００個以上が好ましく、２４０個以上がより好ましく、２６０個以上が特に好ましい。個々のディンプル８が十分な直径を備えうるとの観点から、総数は５００個以下が好ましく、４８０個以下がより好ましく、４６０個以下が特に好ましい。
【００５１】
図４に示されたディンプル８は、
（１）断面が円弧状であり下向きに凸である側壁面１６、
（２）この側壁面１６の下端Ｐ２においてこの側壁面１６と接しており、ディンプル８の中心に向かって下向きに傾斜する第一スロープ面１８、
（３）この第一スロープ面１８の下端Ｐ３においてこの第一スロープ面１８と連続しており、第一スロープ面１８よりも緩やかに、ディンプル８の中心に向かって下向きに傾斜する第二スロープ面２０
及び
（４）この第二スロープ面２０の下端Ｐ４においてこの第二スロープ面２０と接しており、断面が円弧状であり、ディンプル８の中心に位置する碗状のボトム面２２
を有する。上記（１）から（４）を有するディンプル８の数の、ディンプル８の総数に対する比率は、５０％以上が好ましく、７０％以上がより好ましい。この比率は、理想的には１００％である。
【００５２】
本発明では、ディンプル８の各部位のサイズは、塗料が塗布されていないゴルフボール２において測定される。塗装層が除去された後のゴルフボール２において、各部位のサイズが測定されてもよい。
【実施例】
【００５３】
以下、実施例によって本発明の効果が明らかにされるが、この実施例の記載に基づいて本発明が限定的に解釈されるべきではない。
【００５４】
［実施例１］
１００質量部のポリブタジエン（ジェイエスアール社の商品名「ＢＲ−１８」）、３０質量部のアクリル酸亜鉛、６質量部の酸化亜鉛、１０質量部の硫酸バリウム、０．５質量部のジフェニルジスルフィド及び０．５質量部のジクミルパーオキサイドを混練し、ゴム組成物を得た。このゴム組成物を共に半球状キャビティを備えた上型及び下型からなる金型に投入し、１７０℃で１８分間加熱して、直径が３９．７ｍｍのコアを得た。一方、５０質量部のアイオノマー樹脂（三井・デュポンポリケミカル社の商品名「ハイミラン１６０５」）、５０質量部の他のアイオノマー樹脂（三井・デュポンポリケミカル社の商品名「ハイミラン１７０６」）及び３質量部の二酸化チタンを混練し、樹脂組成物を得た。上記コアを、内周面に多数の突起を備えた金型に投入し、球体の周囲に上記樹脂組成物を射出成形法により注入して、厚みが１．５ｍｍであるカバーを成形した。カバーには、突起の形状が反転した形状のディンプルが多数形成された。このカバーに、二液硬化型ポリウレタンを基材とするクリアー塗料を塗装し、直径が４２．７ｍｍであり質量が約４５．４ｇである実施例１のゴルフボールを得た。側壁面における塗装層の厚みは１０μｍであり、点Ｐ３の直上における塗装層厚みは１５μｍであり、ボトム面における塗装層の厚みは９μｍであった。塗装層の平均厚みは、１０μｍであった。このゴルフボールでは、ディンプル総容積は約３２０ｍｍ３であった。このゴルフボールは、図２及び図３に示されたディンプルパターンを有する。このゴルフボールのディンプルは、図４及び図５に示された断面形状を有する。ディンプルの仕様の詳細が、下記表１に示されている。
【００５５】
［実施例２から５］
深さｄ２及び深さｄ４を下記の表１及び表２に示される通りとした他は実施例１と同様にして、実施例２から５のゴルフボールを得た。
【００５６】
［実施例６及び７］
側壁面の曲率半径Ｒａ及びボトム面の曲率半径Ｒｂを下記の表１及び表２に示される通りとした他は実施例１と同様にして、実施例６及び７のゴルフボールを得た。
【００５７】
［比較例］
ディンプルの断面形状をダブルラジアスとした他は実施例１と同様にして、比較例のゴルフボールを得た。このディンプルは、上壁面、側壁面及びボトム面を備えている。側壁面とボトム面とは、接している。
【００５８】
［飛距離テスト］
ツルテンパー社のスイングマシンに、チタンルヘッドを備えたドライバー（住友ゴム工業株式会社の商品名「ＸＸＩＯ」、シャフト硬度：Ｘ、ロフト角：９°）を装着した。ヘッド速度が４９ｍ／ｓｅｃである条件でゴルフボールを打撃して、発射地点から静止地点までの距離を測定した。２０回の測定の平均値が、下記の表１及び表２に示されている。
【００５９】
【表１】
2006314481.tif 000003
【００６０】
【表２】
2006314481.tif 000004
【００６１】
表１及び表２に示されるように、実施例のゴルフボールは飛行性能に優れている。この評価結果から、本発明の優位性は明らかである。
【産業上の利用可能性】
【００６２】
本発明は、ツーピースゴルフボールのみならず、ワンピースゴルフボール、マルチピースゴルフボール及び糸巻きゴルフボールにも適用されうる。
【図面の簡単な説明】
【００６３】
【図１】図１は、本発明の一実施形態に係るゴルフボールが示された模式的断面図である。
【図２】図２は、図１のゴルフボールが示された拡大平面図である。
【図３】図３は、図２のゴルフボールが示された正面図である。
【図４】図４は、図１のゴルフボールの一部が示された拡大断面図である。
【図５】図５は、図４のゴルフボールのディンプルの一部が示された拡大断面図である。
【符号の説明】
【００６４】
２・・・ゴルフボール
４・・・コア
６・・・カバー
８・・・ディンプル
１０・・・ランド
１２・・・仮想球
１４・・・上壁面
１６・・・側壁面
１８・・・第一スロープ面
２０・・・第二スロープ面
２２・・・ボトム面
【図１】
2006314481.tif 000005
【図２】
2006314481.tif 000006
【図３】
2006314481.tif 000007
【図４】
2006314481.tif 000008
【図５】
2006314481.tif 000009